(57)【要約】【課題】指紋を識別することにより解錠可能なロック装置を提供する【解決手段】センサー１８は、指紋を感知するため、スリット１４が形成された固定座１２に装着される。モーター２０は、固定座１２の内部に形成されたチャンバー１３内に収容され、制御回路２２によってセンサー１８に電気的に接続される。駆動ユニット２４はモーター２０のシャフト２１に装着される。主連動ユニット２６は、左右に移動可能であり、駆動部２９により駆動ユニット２４に連結される。副連動ユニット３４は、左右に移動可能であり、回転盤４８を介して主連動ユニット２６に連結される。センサー１８は指紋を電子信号に変換し、変換した電子信号を制御回路２２に伝送し、制御回路２２によって識別を行う。識別結果が正確であると判断されると、モーター２０が起動され、シャフト２１によって駆動ユニット２４が回転し、解錠および施錠が行われる。【選択図】  図２
2012031603.tif 000002
【特許請求の範囲】
【請求項１】
内部に形成されたチャンバー、および当該チャンバーと外部とを接続するスリットを有する固定座と、
前記スリットが形成された前記固定座に装着され、指紋を感知するセンサーと、
前記チャンバー内に収容され、制御回路によって前記センサーに電気的に接続されるモーターと、
前記モーターのシャフトに装着される駆動ユニットと、
前記チャンバー内に移動可能に収容され、第１本体、前記第１本体の一側に位置し前記駆動ユニットに連結される駆動部、および前記第１本体の一端に形成された第１柱体を有する主連動ユニットと、
前記チャンバー内に移動可能に収容され、第２本体、および前記第２本体の一端に形成された第２柱体を有する副連動ユニットと、
前記チャンバー内に回転可能に収容され、前記主連動ユニットの前記第１柱体および前記副連動ユニットの前記第２柱体に別々に係合するとともに互いに向かい合って配置された二つの欠け口を有する回転盤と、
を備えることを特徴とするロック装置。
【請求項２】
前記駆動ユニットは歯車であり、前記主連動ユニットの前記駆動部は一列の歯であることを特徴とする請求項１に記載のロック装置。
【請求項３】
前記チャンバー内に収容され、ハウジングおよびプラグを有するロックをさらに備え、
前記ハウジングは、内部に形成されたプラグチャンバーと前記主連動ユニットおよび前記副連動ユニットに別々に装着される二つの開口部とを有し、
前記プラグは、前記プラグチャンバー内に回転可能に収容され、前記主連動ユニットおよび前記副連動ユニットに別々に突き当たる二つの柱体を有し、
前記回転盤は、前記ロックの前記ハウジングに装着されるとともに前記プラグチャンバー内に据えられ、
前記固定座は前記プラグの位置に対応するプラグ開口部を有することを特徴とする請求項１に記載のロック装置。
【発明の詳細な説明】
【技術分野】
【０００１】
本発明は、ロック装置に関し、特に指紋の識別により解錠可能なロック装置に関する。
【背景技術】
【０００２】
米国特許第５９４３８８６号に開示された従来のロック装置は、鍵でプラグを回し、二つの連動ユニットを外部に前進させ、二つの連動ユニットとボックスの両側に位置する係止ユニットとを結合させることによって、ボックスを施錠することができる。逆に、鍵でプラグを反対方向に回し、二つの連動ユニットを内部に後退させ、二つの係止ユニットのロック状態を解除すれば、二つの係止ユニットを逸脱させ、ボックスを開くことができる。
【０００３】
上述のように、従来のロック装置では、鍵を使用する必要がある。解錠する際、まず鍵の保管場所を確定し、類似した鍵の中から正確な鍵を見付け、続いてプラグに照準を合わせながら鍵穴に鍵を一定の角度で差し込み、一定の方向に回すため、使用に非常に不便である。鍵を無くすと、解錠ができなくなるだけでなく、解錠するために手間を掛けて鍵屋に新しい鍵を作ってもらうかロックを壊す必要がある。
【先行技術文献】
【特許文献】
【０００４】
【特許文献１】米国特許第５９４３８８６号明細書
【発明の概要】
【発明が解決しようとする課題】
【０００５】
本発明の主な目的は、ユーザーの指紋を識別することにより解錠可能なロック装置を提供することにある。
【０００６】
本発明のもう一つの目的は、指紋識別により解錠可能であるとともに従来の鍵によっても解錠可能であるロック装置を提供することにある。
【課題を解決するための手段】
【０００７】
上述の目的を達成するために、本発明によるロック装置は、固定座、センサー、モーター、駆動ユニット、主連動ユニット、副連動ユニットおよび回転盤を備える。
固定座は、内部に形成されたチャンバーと、チャンバーおよび外部を連絡するスリットとを有する。センサーはスリットが形成された固定座に装着される。モーターはチャンバー内に収容され、制御回路によってセンサーに電気的に接続される。駆動ユニットはモーターのシャフトに装着される。
【０００８】
主連動ユニットは、移動可能なように固定座のチャンバー内に収容され、第１本体と、第１本体の一側に位置するように駆動ユニットに連結される駆動部と、第１本体の一端に形成された第１柱体とを有する。副連動ユニットは、移動可能なように固定座のチャンバー内に収容され、第２本体と、第２本体の一端に形成された第２柱体とを有する。回転盤は、回転可能なように固定座のチャンバー内に収容され、二つの向かい合う欠け口を有する。欠け口は主連動ユニットの第１柱体および副連動ユニットの第２柱体に別々に係合される。
上述のように、本発明は、ロック装置に関し、詳しくは従来の鍵による解錠方法およびユーザーの指紋を識別する解錠方法を兼ね備えるロック装置に関するものである。
【図面の簡単な説明】
【０００９】
【図１】本発明の一実施形態によるボックス用指紋錠を示す斜視図。
【図２】本発明の一実施形態によるボックス用指紋錠を示す分解斜視図。
【図３】本発明の一実施形態によるボックス用指紋錠を示す断面図。
【図４】本発明の一実施形態によるボックス用指紋錠を示す底面図。
【図５】図４に示した本発明の一実施形態によるボックス用指紋錠の作動状態を示す模式図。
【図６】図４に示した本発明の一実施形態によるボックス用指紋錠の作動状態を示す模式図。
【発明を実施するための形態】
【００１０】
以下、本発明によるロック装置を図面に基づいて説明する。
（一実施形態）
本発明の一実施形態によるロック装置としての指紋錠は、旅行かばん、収納箱などのボックスに適用される。図１から図３に示すように、指紋錠１０は、固定座１２、センサー１８、モーター２０、レバー２３、駆動ユニット２４、主連動ユニット２６、副連動ユニット３４、ロック４０および回転盤４８を備える。
【００１１】
固定座１２はボックス（図示せず）に装着される。固定座１２は、内部にチャンバー１３が形成されている。固定座１２には、スリット１４、開口部１５、および穿孔１６が形成されている。スリット１４、プラグ開口部としての開口部１５、および穿孔１６は、チャンバー１３と外部とを連通する。スリット１４は略方形であり、開口部１５は略円形である。
【００１２】
センサー１８は、ユーザーの指紋を感知するため、スリット１４が形成された固定座１２に装着される。モーター２０は、固定座１２のチャンバー１３に装着され、制御回路２２によってセンサー１８に電気的に接続される。レバー２３は、移動可能なように固定座１２の穿孔１６に装着され、かつセンサー１８を制御するため制御回路２２に電気的に接続される。駆動ユニット２４は、モーター２０のシャフト２１に装着される。本実施形態において、駆動ユニット２４は歯車である。センサー１８は指紋を電子信号に変換し、そののち電子信号を制御回路２２に伝送し、制御回路２２によって識別を行う。識別結果が正確だと判断されると、モーター２０を起動し、シャフト２１によって駆動ユニット２４を回転させる。
【００１３】
主連動ユニット２６は、左右に移動可能であり、固定座１２のチャンバー１３内に装着される第１本体としての本体２８と、本体２８の一側に位置するように駆動ユニット２４に連結される駆動部２９と、本体２８の左端に形成された第１柱体としての柱体３０とを有する。本実施形態において、駆動部２９は駆動ユニット（即ち歯車）２４と噛み合う一列の歯である。駆動ユニット２４にはローラーなどの別の構成を採用でき、これに対し、駆動部２９は辺縁が直線状の構成を採用することができる。副連動ユニット３４は、左右に移動可能であり、固定座１２のチャンバー１３内に装着される第２本体としての本体３６と、本体３６の右端に形成された第２柱体としての柱体３８とを有する。
【００１４】
ロック４０は、ハウジング４２およびプラグ４４を有する。ハウジング４２は固定座１２のチャンバー１３内に装着され、内部にプラグチャンバーとしてのチャンバー４１を有する。プラグ４４は、ハウジング４２のチャンバー４１内に回転可能に装着される。ハウジング４２は、合わさる上殻体４２ａおよび下殻体４２ｂから構成される。主連動ユニット２６および副連動ユニット３４をチャンバー４１内に差し込んで装着するために、上殻体４２ａは二つの開口部４３を有する。プラグ４４は底部に二つの柱体４５を有する。
【００１５】
柱体４５は主連動ユニット２６の一端および副連動ユニット３４の一端に別々に突き当たる（図４参照）。回転盤４８は、ロック４０の下殻体４２ｂ内に回転可能に装着され、かつチャンバー４１内に据えられる。回転盤４８は二つの向かい合う欠け口４９を有する。欠け口４９は主連動ユニット２６の柱体３０および副連動ユニット３４の柱体３８に別々に係合される。固定座１２の開口部１５はプラグ４４の位置に対応し、プラグ４４を露出させるため、ユーザーは鍵（図示せず）をプラグ４４に差し込むことができる。
【００１６】
上述の構成により、指紋錠１０を解錠するには、ユーザーの指紋を識別する解錠方法を使用可能なだけでなく、従来の鍵による解錠方法を使用することが可能である。
【００１７】
指紋錠１０がロック状態である場合、図５に示すように、主連動ユニット２６および副連動ユニット３４は、固定座１２から外部の一定の距離まで前進し、かつ固定座１２の両側に位置する係止ユニット（図示せず）に突き当たるため、二つの係止ユニットを逸脱させることができない。指紋識別によって解錠する場合、指がセンサー１８をスライドすることによって感知を進め、続いて制御回路２２を介してモーター２０を起動することによって駆動ユニット２４を回転させれば、駆動部２９を介して主連動ユニット２６を左に移動させることが可能である。
【００１８】
図４に示すように、主連動ユニット２６を左に移動させる場合、回転盤４８を時計回りに回転させ、副連動ユニット３４を右に移動させれば、主連動ユニット２６および副連動ユニット３４は両側の係止ユニットから逸脱し、固定座１２の内部の一定の距離まで後退することが可能である。このとき二つの係止ユニットを押すとボックスを開けることができる。再び施錠を行う場合、指がセンサー１８をスライドすれば、図５に示すように制御回路２２を介して駆動ユニット２４を反時計回りに回転させ、主連動ユニット２６および副連動ユニット３４を外部に前進させることによってボックスを施錠することが可能である。
【００１９】
従来の鍵で施錠を行う場合、図６に示すようにロック４０のプラグ４４に鍵を差し込んで回し、二つの柱体４５を反時計回りに回転させて主連動ユニット２６および副連動ユニット３４を外部に押し出すことによってボックスを施錠することが可能である。
【００２０】
本形態による指紋錠１０は、鍵を探し、鍵穴に照準を合わせて一定の方向に沿ってプラグを回す作業を省くことが可能なだけでなく、鍵を無くした時に面倒なことが起こることなく、使用に非常に便利である。制御回路に複数のユーザーの指紋を予め設定することが可能であるため、設定された家族または特定対象は指紋錠を解錠することが可能となる。従って、本発明は使用上の柔軟性および市場の潜在力を有する。
【００２１】
（他の実施形態）
以上、本発明は、上記実施形態になんら限定されるものではなく、発明の趣旨を逸脱しない範囲において種々の形態で実施可能である。また効果が同等な部品の取り換えまたは変更は本発明の請求範囲に属すべきである。
例えば、回転盤４８さえ固定座１２のチャンバー１３内に据えられて回転できればよいため、回転盤４８の配置位置はロック４０の下殻体４２ｂに限らない。
また、必要に応じてロック４０を設置しなくてもよい。これにより、従来の鍵により指紋錠１０を解錠することはできなくなり、防犯の点で有利となる。
【符号の説明】
【００２２】
１０  ・・・  指紋錠（ロック装置）  
１２  ・・・  固定座  
１３  ・・・  チャンバー  
１４  ・・・  矩形スリット（スリット）  
１８  ・・・  センサー  
２０  ・・・  モーター  
２１  ・・・  シャフト  
２２  ・・・  制御回路  
２４  ・・・  駆動ユニット  
２６  ・・・  主連動ユニット  
２８  ・・・  本体（第１本体）  
２９  ・・・  駆動部  
３０  ・・・  柱体（第１柱体）  
３４  ・・・  副連動ユニット  
３６  ・・・  本体（第２本体）  
３８  ・・・  柱体（第２柱体）  
【図１】
2012031603.tif 000003
【図２】
2012031603.tif 000004
【図３】
2012031603.tif 000005
【図４】
2012031603.tif 000006
【図５】
2012031603.tif 000007
【図６】
2012031603.tif 000008